(57)【要約】【課題】本発明は、拡張ボードをマザーボードに安定的に固定できる拡張ボード固定部品を提供することを目的とする。【解決手段】本発明に係る拡張ボード固定部品は、頂面にネジ穴が設けられた柱体と、前記柱体の底部に連接され、且つマザーボードの上面に当接される当止片と、前記当止片の底面に設置される係合部と、を備え、前記係合部は、連接部と当止部とを備え、前記当止部は、前記連接部の底面に連接される固定部と、前記固定部の一端から突出する突起部と、前記固定部の他端から突起部と離れる方向に、且つ斜め上に湾曲する弾性部と、を備え、前記弾性部は弧形を呈し、且つ弾性変形でき、前記突起部と前記弾性部とは、マザーボードに設けられた固定孔を貫通し、且つ前記マザーボードの底面に当接される。【選択図】図４
2014085017.tif 000002
【特許請求の範囲】
【請求項１】
頂面にネジ穴が設けられた柱体と、
前記柱体の底部に連接され、且つマザーボードの上面に当接される当止片と、
前記当止片の底面に設置される係合部と、
を備えてなる拡張ボード固定部品であって、
前記係合部は、連接部と当止部とを備え、前記当止部は、前記連接部の底面に連接される固定部と、前記固定部の一端から突出する突起部と、前記固定部の他端から突起部と離れる方向に、且つ斜め上に湾曲する弾性部と、を備え、前記弾性部は弧形を呈し、且つ弾性変形でき、前記突起部と前記弾性部とは、マザーボードに設けられた固定孔を貫通し、且つ前記マザーボードの底面に当接されることを特徴とする拡張ボード固定部品。
【請求項２】
前記係合部は、更に、前記当止片と前記連接部との間に位置する挿入部を備え、前記挿入部は、前記マザーボードの固定孔に係合されることを特徴とする請求項１に記載の拡張ボード固定部品。
【請求項３】
前記挿入部は、左側面と右側面とを備え、前記連接部は、前記左側面の底部から更に延伸する第一側面と、第一側面の底部から前記挿入部の底面の前記右側面に近い箇所まで延伸する弧形を呈する第二側面と、を備え、前記弾性部は前記第二側面に向けて弾性変形することを特徴とする請求項２に記載の拡張ボード固定部品。
【請求項４】
前記固定部は、前記第二側面の前記第一側面に近い箇所に連接され、前記突起部は、前記固定部の前記第一側面に隣接する一端から突出されることを特徴とする請求項３に記載の拡張ボード固定部品。
【発明の詳細な説明】
【技術分野】
【０００１】
本発明は、拡張ボード固定部品に関するものである。
【背景技術】
【０００２】
従来の技術において、拡張ボードは、ネジによってマザーボードに固定される。しかし、ネジをマザーボードに螺合するには時間がかかる。また、マザーボードに螺合されたネジは、振動などを受けると緩みやすい。その結果、マザーボードと拡張ボードとの接続が緩み、拡張ボードが傾いて、拡張ボードとマザーボードとの間に流れる電気信号が中断される事態が発生する可能性がある。
【発明の概要】
【発明が解決しようとする課題】
【０００３】
本発明の目的は、前記問題を解決し、拡張ボードをマザーボードに安定して固定できる拡張ボード固定部品を提供することである。
【課題を解決するための手段】
【０００４】
上記目的を達成するために、本発明に係る固定部品は、頂面にネジ穴が設けられた柱体と、前記柱体の底部に連接され、且つマザーボードの上面に当接される当止片と、前記当止片の底面に設置される係合部と、を備え、前記係合部は、連接部と当止部とを備え、前記当止部は、前記連接部の底面に連接される固定部と、前記固定部の一端から突出する突起部と、前記固定部の他端から突起部と離れる方向に、且つ斜め上に湾曲する弾性部と、を備え、前記弾性部は弧形を呈し、且つ弾性変形でき、前記突起部と前記弾性部とは、マザーボードに設けられた固定孔を貫通し、且つ前記マザーボードの底面に当接される。
【発明の効果】
【０００５】
本発明に係る拡張ボード固定部品は、当止片がマザーボードの上面に当接され、突起部と弾性部とはマザーボードの底面に当接される。これにより、拡張ボードを安定してマザーボードに固定することができる。
【図面の簡単な説明】
【０００６】
【図１】本発明の実施形態に係る拡張ボード固定部品の拡張ボードとマザーボードとの分解斜視図である。
【図２】図１に示す拡張ボード固定部品の斜視図である。
【図３】図１に示す拡張ボード固定部品によって拡張ボードがマザーボードに取り付けられた状態を示す組立斜視図である。
【図４】図３に示した拡張ボード固定部品によって拡張ボードがマザーボードに取り付けられた状態を示す組立斜視図のＶ−Ｖ線に沿った断面図である。
【発明を実施するための形態】
【０００７】
図１に示したように、本発明の実施形態に係る拡張ボード固定部品１０は、拡張ボード４０をマザーボード５０に固定することに使用される。拡張ボード４０の四隅には貫通孔４２がそれぞれ設けられている。マザーボード５０には、この拡張ボード４０の貫通孔４２に対応して４つの固定孔５２が設けられている。
【０００８】
図２に示したように、拡張ボード固定部品１０は、柱体１１と、柱体１１の底部に連接された当止片２０と、当止片２０の底面に設置された係合部３０と、を備える。
【０００９】
柱体１１の頂面にはネジ穴１２が設けられている。
【００１０】
本実施形態において、当止片２０は長方形を呈しており、その左右方向に沿う長さは、柱体１１の直径より長い。
【００１１】
係合部３０は、当止片２０の底面に連接される挿入部３２と、挿入部３２の底面に設置される連接部３４及び当止部３６と、を備える。挿入部３２は長方形を呈しており、また、互いに平行であり、且つ当止片２０に対して垂直である左側面３２０と右側面３２２とを備える。左側面３２０から右側面３２２までの距離は、当止片２０の左右方向に沿う長さより短い。
【００１２】
連接部３４は、左側面３２０の底部からさらに延伸する第一側面３４２と、第一側面３４２の底部から挿入部３２の底面において右側面３２２に近い箇所まで湾曲して延伸する第二側面３４４と、を備える。第二側面３４４は弧形を呈する。
【００１３】
当止部３６は弧形を呈する。当止部３６は、第二側面３４４の第一側面３４２に近い箇所に連接される固定部３６０と、固定部３６０の第一側面３４２に近い一端から突出する突起部３６２と、固定部３６０の他端から右側面３２２に向けて斜め上に湾曲して延伸する弧形の弾性部３６４と、を備える。
【００１４】
図３及び図４を参照すると、拡張ボード固定部品１０を使用する際、先ず、１つの係合部３０を、固定孔５２に斜めに挿通させる。この時、係合弾性部３６４は、該固定孔５２の内壁を摺動して弾性変形されて、第二側面３４４に当接される。突起部３６２が、マザーボード５０の底面に露出されると、拡張ボード固定部品１０を、第二側面３４４が弾性部３６４に近づく方向へ移動させて、突起部３６２を、マザーボード５０の底面における固定孔５２の左側に当接させる。この時、弾性部３６４は、固定孔５２の内壁と離れ、且つ弾性復帰して、マザーボード５０の底面における固定孔５２の右側に当接される。挿入部３２は固定孔５２内に係合され、当止片２０はマザーボード５０の上面に当接される。以上と同じ方法によって、残りの３つの拡張ボード固定部品１０をマザーボード５０に装着して拡張ボード４０を固定する。
【００１５】
次いで、拡張ボード４０を拡張ボード固定部品１０の上端にのせて、４つのネジ６０を貫通孔４２にそれぞれ挿通させて、拡張ボード固定部品１０のネジ穴１２にそれぞれ螺合させれば、拡張ボード４０をマザーボード５０に固定することができる。
【００１６】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲から決まる。
【符号の説明】
【００１７】
１０  拡張ボード固定部品
１１  柱体
１２  ネジ穴
２０  当止片
３０  係合部
３２  挿入部
３２０  左側面
３２２  右側面
３４  連接部
３４２  第一側面
３４４  第二側面
３６  当止部
３６０  固定部
３６２  突起部
３６４  弾性部
４０  拡張ボード
４２  貫通孔
５０  マザーボード
５２  固定孔
６０  ネジ
【図１】
2014085017.tif 000003
【図２】
2014085017.tif 000004
【図３】
2014085017.tif 000005
【図４】
2014085017.tif 000006